(57)【特許請求の範囲】
【請求項１】
幅方向に相対する一対の長辺側の側板と長手方向に相対する一対の短辺側の側板とを有する外箱と、幅方向に相対する１対の長辺側の側壁と長手方向に相対する１対の短辺側の側壁とを有する直方体状の変圧器タンク内に変圧器本体を収容した構造を有して前記一対の長辺側の側壁をそれぞれ前記外箱の一対の長辺側の側板に対向させた状態で前記外箱内に収容された変圧器とを備え、前記変圧器タンクの一方の長辺側の側壁に放熱器が取り付けられ、前記放熱器に対向する前記外箱の一方の長辺側の側板の下部にギャラリが取り付けられた換気口が少なくとも一つ設けられている地上設置型変圧器装置において、
前記放熱器の下方に、前記外箱の長手方向に伸びる送風機収容空間が設けられて、前記放熱器に送風する送風機が前記送風機収容空間に収容され、
前記外箱の一方の短辺側の側板の下部に、前記送風機収容空間の長手方向の一端を外部に開口させる作業用開口部と、該作業用開口部を塞ぐ着脱可能な蓋板とが設けられ、
前記送風機収容空間への前記送風機の挿入と、前記送風機収容空間からの前記送風機の引出しとを前記作業用開口部を通して行なうことができるように構成されていること、
を特徴とする地上設置型変圧器装置。
【請求項２】
前記送風機は、先端を前記送風機収容空間の長手方向の他端側に向けて前記作業用開口部を通して送風機収容空間に挿入される基板と、前記基板に取り付けられて前記基板とともに前記送風機収容空間に収容し得るように構成された少なくとも一つの送風ユニットとを備えてなり、
前記作業用開口部を通して前記送風機収容空間に挿入される前記送風機の基板を前記外箱の長手方向に沿ってスライド自在にガイドするガイド部材が、前記送風機収容空間の下部に配置されて前記外箱に対して固定されていること、
を特徴とする請求項１に記載の地上設置型変圧器装置。
【請求項３】
前記ガイド部材によりガイドされてスライドしてきた前記送風機の基板の先端を受け止めて前記送風機を規定位置に位置決めする位置決め部材が前記送風機収容空間の長手方向の他端側に設けられ、
前記基板の先端が前記位置決め部材に受け止められる際に前記基板の先端寄りの部分を下方に押圧することにより、前記規定位置に位置決めされた送風機の基板の先端部を前記外箱に対して固定する固定具が設けられていること、
を特徴とする請求項２に記載の地上設置型変圧器装置。
【請求項４】
前記位置決め部材は、前記送風機が前記規定位置に配置された際に前記送風機の基板の先端を受け止めるストッパ部と、前記送風機が前記規定位置に配置された際に前記ストッパ部の上端から前記基板側に張り出した状態になる張出し部とを一体に有し、
前記固定具は、上下方向に変位自在な状態で前記位置決め部材の張出し部に保持されて、前記規定位置に配置された前記送風機の基板の先端寄りの部分の上面に下端が接した状態で配置される押圧部材と、前記押圧部材を下方に付勢するバネとを備え、
前記送風機の基板の先端には下方に傾斜した傾斜板部が設けられ、
前記押圧部材の下端に丸味がつけられていて、前記送風機収容空間に挿入されて前記ガイド部材によりガイドされてスライドしてきた前記送風機の基板の先端の傾斜板部が前記押圧部材の下端を横から押した際に、該基板の先端の傾斜板部により押圧部材が押し上げられて基板の先端寄りの部分の上に乗り上げるように構成されていること、
を特徴とする請求項３に記載の地上設置型変圧器装置。
【請求項５】
前記送風ユニットは、前記送風機収容空間に収容し得るように細長い形状に形成されて、上部に吐出口が設けられるとともに、側面及び下面の少なくとも一方に空気取り入れ口が設けられた直方体状のファンケースと、前記ファンケース内に収容されたクロスフローファンとを備えている請求項２ないし４のいずれか一つに記載の地上設置型変圧器装置。
【請求項６】
前記送風ユニットのケースの上部には、前記吐出口を通して吐出された冷却風を前記変圧器タンクの側壁側に案内する導風板が取り付けられている請求項５に記載の地上設置型変圧器装置。
【請求項７】
前記作業用開口部を閉じる蓋板はギャラリからなっていて、該作業用開口部により他の換気口が構成され、
前記作業用開口部が設けられた外箱の一方の短辺側の側板に対向する前記変圧器タンクの一方の短辺側の側壁に他の放熱器が取り付けられていることを特徴とする請求項１ないし６のいずれかに記載の地上設置型変圧器装置。
【発明の詳細な説明】
【技術分野】
【０００１】
本発明は、道路沿いの歩道上などに設置される地上設置型変圧器装置に関するものである。
【背景技術】
【０００２】
近年、都市部においては、配電線の地中化に伴い、地上設置型変圧器装置を、道路沿いの歩道上などに設置している。この種の変圧器装置は例えば、特許文献１に示されている。地上設置型変圧器装置は、幅方向に相対する一対の長辺側の側板と長手方向に相対する一対の短辺側の側板とを有する外箱と、幅方向に相対する１対の長辺側の側壁と長手方向に相対する１対の短辺側の側壁とを有する直方体状の変圧器タンク内に変圧器本体を収容した構造を有して一対の長辺側の側壁をそれぞれ外箱の一対の長辺側の側板に対向させた状態で外箱内に収容された変圧器と、前記変圧器と共に前記外箱内に収容された保護用機器とを備えている。保護用機器としては、地下の配電線から引込まれた高圧ケーブルと一次ブッシング端子との間に設けられる一次側開閉装置（ＬＢＳ）、一次ブッシング端子と変圧器本体の一次側端子との間に挿入される高圧限流ヒューズ、及び変圧器の二次ブッシング端子と外部に引き出される複数本の配電用低圧ケーブルとの間にそれぞれ挿入される配線用遮断器等が設けられる。
【０００３】
変圧器タンク内で変圧器本体から生じる熱により加熱された絶縁油を冷却して、変圧器本体の温度上昇を低減するため、変圧器タンクの一方の長辺側の側壁に、内部に油道を有する放熱器が取り付けられている。また外箱内の換気を行なわせるため、放熱器に相対する外箱の一方の長辺側の側板の下部にギャラリが取り付けられた少なくとも一つの換気口が設けられている。必要に応じて、外箱の側板の上部にもギャラリが取り付けられた換気口が設けられる。
【０００４】
変圧器の冷却を効率よく行なわせるため、従来の地上設置形変圧器装置においては、特許文献１にも示されているように、変圧器タンクの一方の長辺側の側壁に取り付けられた放熱器と、放熱器に対向する外箱の一方の長辺側の側板との間にスペースを設けて、このスペースに、放熱器に向けて送風する複数の送風機を配置している。また変圧器タンクの他方の長辺側の側壁には、変圧器の二次側に接続される低圧側の保護用機器が取り付けられ、外箱の他方の長辺側の側板には、保護用機器の保守点検の際に開かれる点検用扉が設けられている。本明細書では、変圧器タンクに取り付けられた放熱器に対向する外箱の一方の長辺側の側板の外面を装置の背面とし、外箱の点検用扉が設けられた面を装置の正面とする。
【０００５】
この種の変圧器装置は、歩道の傍らに、その外箱の長手方向を歩道の幅方向と直角な方向に向け、かつ点検用扉が設けられた正面を歩行者側に向けた状態で設置される。
【０００６】
上記のように、従来の地上設置形変圧器装置においては、外箱に設けられた換気口の内側に送風機が配置されていたため、送風機のメンテナンスや交換を行なう際には、換気口を通して送風機の着脱作業を行う必要があった。
【先行技術文献】
【特許文献】
【０００７】
【特許文献１】特開２００６−３５３０１４号公報
【発明の概要】
【発明が解決しようとする課題】
【０００８】
従来の地上設置形変圧器装置においては、変圧器タンクに取り付けられた放熱器と外箱の側板との間に送風機を配置するためのスペースを設けていたため、外箱が大型化し、装置のコンパクト性が損なわれるという問題があった。
【０００９】
更に従来の地上設置形変圧器装置においては、送風機のメンテナンスを行なう際に、換気口を通して送風機の着脱作業を行う必要があったため、変圧器装置を歩道の車道寄りの部分に、その正面を歩行者側に向けて設置した場合には、車道側から送風機の着脱作業を行う必要があり、作業に危険を伴うという問題があった。
【００１０】
また、変圧器装置を歩道の建物側に、その正面を歩行者側に向けて設置する場合には、送風機の着脱を行なうスペース分だけ装置を歩行者側に寄せて設置する必要があるため、歩行者が通行するスペースが狭くなるのを避けられず、歩道の幅が狭い場合には、装置を設置することができないという問題があった。
【００１１】
本発明の目的は、外箱の大型化を招くことなく送風機を配置することができるようにすると共に、外箱の長手方向の端面側から送風機の着脱を行なうことができるようにして、上記の諸問題を解決した地上設置型変圧器装置を提供することにある。
【課題を解決するための手段】
【００１２】
本発明は、歩道の傍ら等に設置される地上設置型変圧器装置に係わるものである。本発明が対象とする地上設置型変圧器装置は、幅方向に相対する一対の長辺側の側板と長手方向に相対する一対の短辺側の側板とを有する外箱と、幅方向に相対する１対の長辺側の側壁と長手方向に相対する１対の短辺側の側壁とを有する直方体状の変圧器タンク内に変圧器本体を収容した構造を有して一対の長辺側の側壁をそれぞれ外箱の一対の長辺側の側板に対向させた状態で外箱内に収容された変圧器とを備えている。変圧器タンクの一方の長辺側の側壁には放熱器が取り付けられ、放熱器に対向する外箱の一方の長辺側の側板の下部にギャラリが取り付けられた換気口が少なくとも一つ設けられている。
【００１３】
本発明においては、前記の目的を達成するため、上記放熱器の下方に、外箱の長手方向に伸びる送風機収容空間が形成され、この送風機収容空間に上記放熱器に送風する送風機が収容されている。外箱の一方の短辺側の側板の下部に、送風機収容空間の長手方向の一端を外部に開口させる作業用開口部と、該作業用開口部を塞ぐ着脱可能な蓋板とが設けられ、送風機収容空間内への送風機の挿入と、送風機収容空間からの送風機の引出しとを作業用開口部を通して行なうことができるように構成されている。
【００１４】
上記のように、放熱器の下方に外箱の長手方向に伸びる送風機収容空間を設けて、この送風機収容空間に送風機を配置するようにすると、放熱器と外箱の側板との間に送風機を配置するためのスペースを設けておく必要がないため、外箱が大形になるのを防ぐことができる。
【００１５】
また上記のように、放熱器の下方に、外箱の長手方向に伸びる送風機収容空間を設けると共に、外箱の一方の短辺側の側板の下部に、送風機収容空間の長手方向の一端を外部に開口させる作業用開口部を設けると、送風機収容空間への送風機の挿入と、送風機収容空間からの送風機の引出しとを、外箱の長手方向の端部に設けられた作業用開口部を通して行なうことができるため、変圧器装置を歩道の車道寄りの部分に設置した場合に危険を伴う作業を強いられることになったり、変圧器装置を歩道の建物側に寄せて設置した場合に歩行者が通行するスペースが狭くなったり、装置を設置することができなくなったりするのを防ぐことができる。
【００１６】
本発明の好ましい態様では、上記送風機が、先端を送風機収容空間の長手方向の他端側に向けて作業用開口部を通して送風機収容空間に挿入される基板と、基板に取り付けられて基板とともに送風機収容空間に収容し得るように構成された少なくとも一つの送風ユニットとを備えた構造を有する。この場合、作業用開口部を通して送風機収容空間に挿入される送風機の基板を外箱の長手方向に沿ってスライド自在にガイドするガイド部材が、送風機収容空間の下部に配置されて外箱に対して固定される。
【００１７】
上記のように構成すると、送風ユニットの数の如何に関わりなく、送風機を外箱の長手方向に沿ってスライドさせることにより、送風機収容空間への送風機の挿入と、送風機収容空間からの送風機の引出しとを行うことができるため、送風機の着脱を容易にすることができる。
【００１８】
本発明の他の好ましい態様では、ガイド部材によりガイドされてスライドしてきた送風機の基板の先端を受け止めて送風機を規定位置に位置決めする位置決め部材が送風機収容空間の長手方向の他端側に設けられる。また基板の先端が位置決め部材に受け止められる際に基板の先端寄りの部分を下方に押圧することにより、規定位置に位置決めされた送風機の基板の先端部を外箱に対して固定する固定具が設けられる。
【００１９】
上記のように位置決め部材と固定具とを設けておくと、送風機収容空間に送風機を挿入した際に送風機を自動的に位置決めして規定位置から動かないように固定することができ、また送風機を送風機収容空間から引き出す際に送風機の固定を容易に解除することができるため、送風機の着脱作業を容易にすることができる。
【００２０】
本発明の他の好ましい態様では、上記位置決め部材が、送風機が規定位置に配置された際に送風機の基板の先端を受け止めるストッパ部と、送風機が規定位置に配置された際にストッパ部の上端から基板側に張り出した状態になる張出し部とを一体に有している。また固定具は、上下方向に変位自在な状態で位置決め部材の張出し部に保持されて、規定位置に配置された送風機の基板の先端寄りの部分の上面に下端が接した状態で配置される押圧部材と、該押圧部材を下方に付勢するバネとを備えている。また送風機の基板の先端に、下方に傾斜した傾斜板部が設けられ、押圧部材の下端には丸味がつけられていて、送風機収容空間に挿入されてガイド部材によりガイドされてスライドしてきた送風機の基板の先端の傾斜板部が押圧部材の下端を横から押した際に、基板の先端の傾斜板部により押圧部材の下端が押し上げられて基板の先端寄りの部分の上に乗り上げるように構成されている。
【００２１】
上記のように構成すると、位置決め部材と固定具とを一体化することができるため、構造の簡素化を図ることができる。
【００２２】
送風ユニットとしては、送風機収容空間に収容し得るように細長い形状に形成されて、上部に吐出口が設けられるとともに、側面及び下面の少なくとも一方に空気取り入れ口が設けられた直方体状のケースと、ケース内に収容されたクロスフローファンとを備えたものを用いるのが好ましい。
【００２３】
上記のような送風ユニットを用いると、放熱器の長手方向に沿って冷却風をほぼ均一に送風することができるため、放熱器全体を均一に冷却して、変圧器の冷却を効率よく行なわせることができる。
【００２４】
また送風ユニットのケースの上部には、吐出口を通して吐出された冷却風を変圧器タンクの側壁側に案内する導風板を取り付けておくのが好ましい。
【００２５】
上記のような導風板を設けておくと、送風ユニットから送り出された冷却風を放熱器の放熱フィンの間に流入させて、整流として上方に円滑に流すことができるため、放熱器での熱交換を促進して、変圧器の冷却を効率よく行なわせることができる。
【００２６】
本発明の好ましい態様では、作業用開口部を閉じる蓋板がギャラリからなっていて、該作業用開口部により他の換気口が構成され、作業用開口部が設けられた外箱の一方の短辺側の側板に対向する変圧器タンクの一方の短辺側の側壁に他の放熱器が取り付けられている。
【００２７】
上記のように構成すると、作業用開口部を換気口として利用して変圧器装置の冷却を効率よくする行なわせることができる。
【発明の効果】
【００２８】
本発明によれば、放熱器の下方に外箱の長手方向に伸びる送風機収容空間を設けて、この送風機収容空間に送風機を配置することにより、放熱器と外箱の側板との間に送風機を配置するためのスペースを設ける必要がないようにしたため、外箱が大形になるのを防ぐことができ、地上設置型変圧器装置のコンパクト性を損なうことなく、変圧器の冷却性能を向上させることができる。
【００２９】
本発明によれば、放熱器の下方に、外箱の長手方向に伸びる送風機収容空間を設けると共に、外箱の一方の短辺側の側板の下部に、送風機収容空間の長手方向の一端を外部に開口させる作業用開口部を設けて、送風機収容空間への送風機の挿入と、送風機収容空間からの送風機の引出しとを、外箱の長手方向の端部に設けられた作業用開口部を通して行なうことができるようにしたため、変圧器装置を歩道の車道寄りの部分に設置した場合に危険を伴う作業を強いられることになったり、変圧器装置を歩道の建物側に寄せて設置した場合に歩行者が通行するスペースが狭くなったり、装置を設置することができなくなったりするのを防ぐことができる。
【００３０】
本発明において、送風機を、送風機収容空間に挿入される基板と、基板に取り付けられて基板とともに送風機収容空間に収容し得る送風ユニットとにより構成するとともに、送風機の基板を外箱の長手方向に沿ってスライド自在にガイドするガイド部材を設けた場合には、送風ユニットの数の如何に関わりなく、送風機を外箱の長手方向に沿ってスライドさせることにより、送風機収容空間への送風機の挿入と、送風機収容空間からの送風機の引出しとを行うことができるため、送風機の着脱を容易にすることができる。
【００３１】
本発明において、送風機の基板を位置決めする位置決め部材と該基板を固定する固定具とを送風機収容空間の端部に設けた場合には、送風機収容空間に送風機を挿入した際に送風機を自動的に位置決めして、固定することができ、また送風機を送風機収容空間から引き出す際に送風機の固定を容易に解除することができるため、送風機の着脱作業を容易にすることができる。
【図面の簡単な説明】
【００３２】
【図１】本発明の一実施形態に係わる地上設置型変圧器装置の外箱の天井板を外してその内部の構成を示した上面図である。
【図２】本発明の一実施形態に係わる地上設置型変圧器装置の外箱の長手方向の一端に設けられた一方の短辺側の側板を外してその内部を示した側面図である。
【図３】本発明の一実施形態に係わる地上設置型変圧器装置の背面の下部に設けられた換気口のギャラリを外した状態を示した背面図である
【図４】本発明の一実施形態において外箱の一方の短辺側の側板の下部に設けられた作業用開口部の蓋板を外した状態を示した要部の斜視図である。
【図５】本発明の一実施形態において外箱の一方の短辺側の側板の下部に設けられた作業用開口部に取り付けられる枠板を外した状態を示した要部の斜視図である。
【図６】本発明の一実施形態において外箱の一方の短辺側の側板の下部に設けられた作業用開口部から内部の要部を見た拡大斜視図である。
【図７】本発明の一実施形態において外箱内の送風機収容空間に送風機を挿入している状態を示した要部の斜視図である。
【図８】本発明の一実施形態において外箱の一方の短辺側の側板を外し、変圧器タンクを一部を断面して、送風機付近の構造を示した拡大側面図である。
【図９】本発明の一実施形態で用いる送風機と該送風機をガイドするガイド部材とを示した分解斜視図である。
【図１０】本発明の一実施形態において送風機の基板の先端を位置決め固定する位置決め固定装置の構成例を示した要部の拡大図である。
【図１１】本発明の一実施形態において送風機の基板の先端を位置決め固定する位置決め固定装置の他の構成例を示した要部の拡大図である。
【図１２】本発明の実施形態で用いる送風ユニットの構成例を示した分解斜視図である。
【発明を実施するための形態】
【００３３】
以下図面を参照して本発明の実施形態を詳細に説明する。
図１ないし図８において、１は全体がほぼ直方体状をなすように形成された外箱である。外箱１は、型鋼材を枠組みしてなるベース１００と、ベース１００に支持された長方形状の変圧器支持板１０１(図８参照）と、ベース１００の幅方向に相対する一対の長辺側の側板１０２，１０３と、ベース１００の長手方向に相対する一対の短辺側の側板１０４，１０５と、側板１０２ないし１０５により囲まれた空間の上端を閉じる長方形状の天井板１０６とを備えている。本明細書では、ベース１００の長手方向及び該長手方向に対して直角な幅方向をそれぞれ外箱及び装置の長手方向及び幅方向とする。また一方の長辺側の側板１０２の外面を外箱及び装置全体の背面とし、他の長辺側の側板１０３の外面を外箱及び装置全体の前面とする。
【００３４】
外箱１の一方の長辺側の側板１０２の下部に、外箱１の長手方向の一端側に片寄せて、該外箱の長手方向に並ぶ２つの矩形状の背面側下部換気口１１１，１１１(図３参照）が設けられ、これらの換気口にはそれぞれギャラリ１１２，１１２が着脱可能に取り付けられている。また長辺側の側板１０２の上部には、換気口１１１，１１１の上方に位置させて、ギャラリ１１３，１１３が取り付けられた２つの背面側上部換気口が設けられ、外箱１の長手方向の一端側に設けられた一方の短辺側の側板１０４の上部には、ギャラリ１１５が取り付けられた側面側換気口が設けられている。
【００３５】
また外箱１の一方の短辺側の側板１０４の下部には、外箱の背面寄りのコーナ部に位置させて、矩形状の作業用開口部１１７が設けられている。作業用開口部１１７は、ギャラリからなる着脱可能な蓋板１１８により閉じられるようになっていて、常時は、この作業用開口部も換気口として機能するようになっている。図示の例では、作業用開口部１１７に嵌め込まれた状態で配置されて蓋板１１８と作業用開口部１１７の周辺部との間に介在する枠体１１９が設けられ、蓋板１１８の周縁部１１８ａと枠体１１９とを貫通させて作業用開口部１１７の周辺部にねじ込まれたネジ１２０により、蓋板１１８が作業用開口部１１７に取り付けられている。
【００３６】
外箱１の前面側の側板１０３及び長手方向の他端側の側板１０５は点検用扉１０３ａ（図２参照）及び１０５ａ（図３参照）を構成する部分を有していて、それぞれの点検用扉を開くことにより、外箱の前面側及び長手方向の他端側を開放し得るようになている。
【００３７】
外箱１内には、変圧器タンク３内に絶縁油とともに変圧器本体（図示せず。）を収容した公知の構造を有する変圧器２が収容されている。変圧器タンク３は、幅方向に相対する１対の長辺側の側壁３０１，３０２と長手方向に相対する１対の短辺側の側壁３０３，３０４と、これらの側壁により囲まれた空間の下端及び上端をそれぞれ閉じる底壁３０５（図８参照）及び天井壁３０６（図１、図２参照）とを備えた直方体状のタンクである。変圧器２は、その変圧器タンク３の一対の長辺側の側壁３０１，３０２をそれぞれ外箱１の一対の長辺側の側板１０２，１０３に対向させた状態で外箱１内に収容されて、ボルト３１０（図８参照）により変圧器支持板１０１に固定されている。
【００３８】
変圧器本体から発生する熱により加熱される変圧器タンク３内の絶縁油を冷却するため、変圧器タンク３の一方の長辺側の側壁３０１に、波形に成形された鋼板からなる第１の放熱器４が取り付けられ、一方の短辺側の側壁３０３には、同じく波形に成形された鋼板からなる第２の放熱器５が取り付けられている。第１の放熱器４は、その周縁部を変圧器タンクの側壁３０１に設けられた矩形状の開口部３０１ａ（図８参照）の周縁部に溶接することにより、変圧器タンク３に取り付けられている。同様に、第２の放熱器５は、その周縁部を変圧器タンクの側壁３０３に設けられた矩形状の開口部の周縁部に溶接することにより、変圧器タンク３に取り付けられている。第１の放熱器４及び第２の放熱器５は、横方向に間隔をあけて並ぶ多数の中空の放熱フィンｆ，ｆ、…を有していて、各放熱フィンｆの内側に絶縁油が流通する油道が形成されている。変圧器タンク３内の絶縁油は、放熱器４及び５の各放熱フィンの内側に形成された油道内を流れる過程で外気との間で熱交換を行って冷却される。
【００３９】
変圧器タンク３の面積が広い側壁３０１に取り付けられる第１の放熱器４に、より大きな放熱効果を持たせるため、第１の放熱器４の放熱フィンｆは、第２の放熱器５の放熱フィンｆよりも大きな面積を有するように形成されていて、第１の放熱器４の変圧器タンクからの突出長が、第２の放熱器５の変圧器タンクからの突出長よりも大きくなっている。そのため、外箱１の側板１０２と変圧器タンクの側壁３０１との間の間隔が、外箱１の側板１０４と変圧器タンクの側壁３０３との間の間隔よりも大きく設定されている。
【００４０】
変圧器タンク３の長手方向の他端側の短辺側の側壁３０４には、変圧器２の一次側（高圧側）の端子と地下から引込まれる高圧ケーブル（配電線）との間に設けられる保護機器である一次側開閉装置７（図１参照）が取り付けられ、変圧器タンク３の他方の長辺側の側壁３０２には、変圧器の二次側と低圧配電ケーブルとの間に設けられる配電用遮断器（ブレーカ）などを含む二次側保護機器８が取り付けられている。外箱１は、変圧器１とともにこれらの保護機器をも収容し得る大きさに形成されている。
【００４１】
本実施形態では、変圧器の冷却効果を高めるため、少なくとも大きな放熱効果を持たせる主たる放熱器４に対して送風を行う送風機を外箱１内に設ける。外箱１の大形化を招くことなく送風機を設けることができるようにするため、本実施形態では、送風機による冷却を行う第１の放熱器４の下方に送風機収容空間１０を形成して、この送風機収容空間１０内に送風機１１を配置する。送風機収容空間１０は、放熱器４の下方を変圧器タンク３及び外箱１の長手方向に沿って延びるように設けられていて、作業用開口部１１７を閉じている蓋板１１８が外された際に、その長手方向の一端が作業用開口部１１７を通して外部に開口させられるようになっている。
【００４２】
本実施形態では、送風機収容空間１０への送風機１１の挿入と、送風機収容空間１０からの送風機１１の引出しとを、蓋板１１８が外された作業用開口部１１７を通して行うことができるようになっている。
【００４３】
送風機収容空間１０への送風機１１の挿入と、送風機収容空間１０からの送風機１１の引出しとを容易に行わせることができるようにするため、作業用開口部１１７を通して送風機収容空間１０に挿入される送風機１１の基板を外箱１の長手方向に沿ってスライド自在にガイドするガイド部材１２が、送風機収容空間１０の下部に配置されて外箱１に対して固定されている。
【００４４】
図９に示されているように、本実施形態で用いているガイド部材１２は、送風機収容空間１０の長手方向（変圧器タンク３の長手方向）に延びる帯板状の底板部１２ａと、底板部１２ａの幅方向の両端から直角に起立して送風機収容空間１０の長手方向に沿って互いに平行に延びる一対の起立部（ガイドレール部）１２ｂ，１２ｂとを一体に有する、浅いＵ字形の横断面形状を有する板からなっている。
【００４５】
外箱の下方からも送風機１１に空気を取り込むため、ガイド部材１２の底板部１２ａには、その長手方向に間隔を隔てて並ぶ３つの矩形状の通気孔１２ｃが形成されている。ガイド部材１２は、外箱１のベース１００を構成する鋼材に溶接やボルト止め等により固定された支持部材１２０（図８参照）の上面に載せられてボルト１３により支持部材１２０に固定されている。図示してないが、支持部材１２０には、ガイド部材１２の通気孔１２ｃに整合する通気孔が設けられ、下方から支持部材１２０の通気孔を通してガイド部材１２の通気孔１２ｃに空気が導入されるようになっている。
【００４６】
図９に示されているように、送風機１１は、先端を送風機収容空間１０の長手方向の他端側（外箱１の長手方向の他端側）に向けた状態で作業用開口部１１７を通して送風機収容空間１０内に挿入される基板１５と、基板１５に取り付けられて該基板とともに送風機収容空間１０に収容し得るように構成された少なくとも一つの送風ユニット１６とを備えている。図示の例では、２台の送風ユニット１６，１６が設けられ、これらの送風ユニットが基板１５の長手方向に並べた状態で配置されて基板１５に固定されている。
【００４７】
基板１５は、送風機収容空間１０の長手方向に延びる帯板状の基板主部１５ａと、該基板主部１５ａの幅方向の両端から下方に直角に折れ曲がった側板部１５ｂ，１５ｂとを一体に有していて、ガイド部材１２の起立部（ガイドレール部）１２ｂ，１２ｂの間に挿入され得るようにその幅寸法が設定されている。基板主部１５ａには、該基板主部１５ａの長手方向に並ぶ２つの矩形状の通気孔１５ｃ，１５ｃが打ち抜かれている。基板１５の先端部には、斜め下方に傾斜して延びる傾斜板部１５ｄが突設され、基板１５の後端部には、断面がコの字形を呈する折り返し部１５ｅが形成されている。折り返し部１５ｅは、基板１５を取り扱う際に取っ手として用いられる。
【００４８】
図１２に示されているように、送風ユニット１６は、全体がほぼ直方体状をなすように形成されたファンケース２１と、ファンケース２１内に収容されたクロスフローファン２２と、クロスフローファン２２を駆動するモータ２３とを備えている。図示のファンケース２１は、全体がほぼ直方体状をなすように形成されて、その上面に吐出口２１ａが形成され、その両側面の下部及び下面にそれぞれ空気取り入れ口２１ｂが形成されている。クロスフローファン２２は、その軸線をファンケース２１の長手方向に向けた状態でファンケース２１内に収容され、その回転軸の両端がファンケース２１の長手方向の両端に軸受けを介して支持されている。モータ２３は、ファンケース２１の長手方向の一端に固定されて、その出力軸がクロスフローファン２２の回転軸に連結されている。
【００４９】
また送風ユニット１６のファンケース２１の上部には、ファンケースの上面に載せられた状態で配置される矩形状の覆い板部２４ａと、覆い板部２４ａの長手方向の一端から下方に折れ曲がってモータ２３の側方に配置される側板部２４ｂとを一体に備えたカバー板２４が取り付けられている。カバー板２４の覆い板部２４ａには、ファンケースの吐出口２１ａと整合する矩形状の窓部２４ｃが設けられ、クロスフローファン２２により送り出された空気が、ファンケース２１の上面の吐出口２１ａと、カバー板２４の窓部２４ｃとを通して上方に吐出されるようになっている。カバー板２４の覆い板部２４ａは、放熱器４側に張り出した張出し部２４a1を有している。この張出し部２４a1は、送風機１が送風機収容空間１０内に挿入された状態で、ファンケース２１の側面と変圧器タンクの側板３０１の下部との間に形成される隙間ｇの上部に張出した状態で配置されるようになっていて、該張出し部２４a1により、送風ファン２６の吐出口から吐出された空気が空気取り入れ口側に（下方に）流れるのが阻止されるようになっている。
【００５０】
送風ユニット１６のファンケース２１の上部にはまた、ファンケース２１の吐出口２１ａから吐出された冷却風を変圧器タンク３の放熱器４が取り付けられた側壁３０１側に案内する導風板２６が取り付けられている。導風板２６は、カバー板２４の覆い板部２４ａの張出し部２４a1と反対側の端部の上に配置される帯板部２６ａと、この帯板部の前記窓部２４ｃと反対側に位置する一方の幅方向端部からファンケース２１の側面側に（下方に）折れ曲がった側板部２６ｂと、カバー板の窓部２４ｃ側に位置する帯板部２４ａの他方の幅方向端部から斜め上方に突出した傾斜板部２６ｃとを一体に有していて、ファンケース２１の吐出口２１ａから突出した冷却風を、傾斜板部２６ｃに沿って、変圧器タンクの側壁３０１側に案内するようになっている。
【００５１】
２台の送風ユニット１６，１６はそれぞれ、基板１５に設けられた通気孔１５ｃ，１５ｃの上方に配置され、それぞれのファンケース２１，２１の長手方向の両端にボルト２８（図１０参照）により固定されたＬ字形金具２９が、ボルト３０によって基板１５に締結されることにより、送風ユニット１６，１６が基板１５に取り付けられている。
【００５２】
基板１５と、基板１５に取り付けられた２台の送風ユニット１６，１６とを備えた送風機１１は、図７に示されているように作業用開口部１１７から送風機収容空間１０内に挿入されることにより、放熱器４の下方に配置される。
【００５３】
送風機１１を送風機収容空間１０内に収容する際には、基板１５の先端を作業用開口部１１７を通して送風機収容空間１０の入口に挿入して、基板１５の側板部１５ｂ，１５ｂをガイド部材１２の起立部１２ｂ，１２ｂの内側に位置させた状態で基板１５の先端をガイド部材１２の上に載せ、この状態で基板１５を起立部（ガイドレール部）１２ｂ，１２ｂに沿ってガイド部材の底板部１２ａ上をスライドさせながら送風機収容空間１０内に挿入する。
【００５４】
送風機収容空間１０内に挿入された送風機を規定位置に自動的に位置決め固定するため、ガイド部材１２によりガイドされてスライドしてきた送風機１１の基板１５の先端を受け止めて送風機１１を規定位置に位置決めする位置決め部材３１と、基板１５の先端が位置決め部材３１に受け止められる際に基板１５の先端寄りの部分を下方に押圧することにより、該基板１５の先端部を外箱１に対して固定する固定具３２とが、ガイド部材１２の先端に取り付けられている。
【００５５】
図１０に示されているように、位置決め部材３１は、ガイド部材１２の底板部１２ａの先端に固定されて送風機１１が規定位置に配置された際に送風機の基板１５の先端（図示の例では傾斜板部１５ｄの先端）を受け止めるストッパ部３１ａと、送風機が規定位置に配置された際にストッパ部３１ａの上端から基板１５側に張り出した状態になる張出し部３１ｂとを一体に有していて、基板１５の先端をストッパ部３１ａで受け止めることにより、基板１５を規定位置に位置決めする。
【００５６】
固定具３２は、上下方向に変位自在な状態で位置決め部材３１の張出し部３１ｂに保持されて、規定位置に配置された送風機の基板１５の先端寄りの部分の上面に下端が接した状態で配置される押圧部材３２ａと、押圧部材３２ａを下方に付勢するバネ（図示せず。）とを備えた構造を有する。本実施形態では、押圧部材３２ａとして、下端に丸みが付けられた形状を有するものを用いる。図１０に示された例では、固定具３２が、張出し部３１ｂに設けられたネジ孔に螺合されて取り付けられたボールプランジャからなっていて、該ボールプランジャのボールが押圧部材３２ａとして用いられている。
【００５７】
図示の実施形態において、送風機１１を送風機収容空間１０内に配置するために、基板１５をガイド部材１２によりガイドしつつ送風機１１を送風機収容空間１０内に挿入していくと、送風機１１が規定位置に近づいたときに先ず傾斜板部１５ｄが押圧部材３２ａに突き当たる。その状態で更に送風機１１を押し込んで、傾斜板部１５ｄにより押圧部材３２ａの下端を横から押すと、傾斜板部１５ｄが押圧部材３２ａを押し上げて、該押圧部材３２ａを基板１５の先端寄りの部分の上に乗り上げさせた後、傾斜板部１５ｄの先端がストッパ部３２ａに突き当たって位置決めされる。この状態では、バネにより下方に付勢されている押圧部材３２ａにより、基板１５の先端寄りの部分が、外箱に対して固定されたガイド部材１２側に押圧されるため、送風機１１が外箱内で規定位置から動かないように固定される。送風機１１を送風機収容空間１０から引出す際には、基板１５の折り返し部１５ｅに工具を引っ掛けて基板１５を引出すことにより、基板１５の先端の固定を解除して送風機１１を移動自在な状態にすることができるため、送風機１１の引出しを容易に行うことができる。
【００５８】
外箱１の一方の短辺側側板１０４側から送風機１１の挿入と引出しとを行って送風機の着脱を行うことができるようにするため、送風機１１の送風ユニット１６，１６に給電するための配線３０（図６参照）の接続はすべて外箱１の一方の短辺側側板１０４側で、作業用開口部１１７を通して行うことができるようになっている。
【００５９】
図１０に示した例では、固定具３２をボールプランジャにより構成したが、図１１に示すように、下端に半球状の押圧部材３２ａを有して位置決め部材３１の張出し部３１ｂに設けられた孔に上下動自在に嵌合されたロッド３２ｂと、張出し部３１ｂと押圧部材３２ａとの間に配置されてロッド３２ｂを下方に付勢するバネ３２ｃとにより固定具３２を構成することもできる。図１０に示した例では、ロッド３２ｂの上端寄りの部分の外周に雄ネジ部が設けられていて、この雄ネジ部に螺合させたナット３２ｄ，３２ｅにより、ロッド３２のストロークとバネ３２ｃの付勢力とを調整するようにしている。
【００６０】
上記の実施形態では、送風ユニット１６のファンケース２１の両側面の下部と下面とに空気取り入れ口２１ｂを設けているが、空気取り入れ口２１ｂはファンケース２１の下部に少なくとも一つ設けれていればよく、空気取り入れ口の設け方は上記の例に限定されない。
【００６１】
上記の実施形態では、外箱１と、外箱１内に収容された変圧器２、保護用機器７，８及び送風機１１等の機器とにより地上設置型変圧器装置ＰＭＴが構成されている。
【００６２】
上記の実施形態のように、放熱器４の下方に外箱１の長手方向に伸びる送風機収容空間１０を設けて、この送風機収容空間に送風機１１を配置するようにすると、放熱器４と外箱１の側板１０２との間に送風機を配置するためのスペースを設けておく必要がないため、外箱１が大形になるのを防ぐことができる。
【００６３】
また上記の実施形態のように、放熱器４の下方に、外箱の長手方向に伸びる送風機収容空間１０を設けると共に、外箱１の一方の短辺側の側板１０４の下部に、送風機収容空間の長手方向の一端を外部に開口させる作業用開口部１１７を設けると、送風機収容空間１０内への送風機１１の挿入と、送風機収容空間からの送風機の引出しとを、外箱１の長手方向の端部に設けられた作業用開口部１１７を通して行なうことができるため、地上設置型変圧器装置を歩道の車道寄りの部分に設置した場合に危険を伴う作業を強いられることになったり、変圧器装置を歩道の建物側に寄せて設置した場合に歩行者が通行するスペースが狭くなったり、装置を設置することができなくなったりするのを防ぐことができる。
【００６４】
また上記の実施形態のように、位置決め部材３１と固定具３２とを設けておくと、送風機収容空間に送風機１１を挿入した際に送風機１１を自動的に位置決めして規定位置から動かないように固定することができ、また送風機１１を送風機収容空間から引き出す際に送風機の固定を容易に解除することができるため、送風機の着脱作業を容易にすることができる。
【００６５】
上記の実施形態のように導風板２６を設けておくと、送風ユニット１６から送り出された冷却風を放熱器４の放熱フィンｆの間に流入させて整流として上方に円滑に流すことができるため、放熱器４での熱交換を促進して、変圧器の冷却を効率よく行なわせることができる。
【００６６】
上記の実施形態では、位置決め部材３１をガイド部材１２の先端に取り付けているが、ガイド部材１２を外箱１のベース１００に対して固定された適宜の部材に取り付けるようにすることもできる。また上記の実施形態では、固定具３２を位置決め部材３１に支持しているが、固定具３２を、位置決め部材３１と別個に設けた支持部材に支持するようにすることもできる。
【符号の説明】
【００６７】
１  外箱
１００  ベース
１０１  変圧器支持板
１０２，１０３  外箱の長辺側側板
１０４，１０５  外箱の短辺側側板
１１１  背面側下部換気口
１１２  ギャラリ
１１３  ギャラリ
１１７  作業用開口部
１１８  蓋板（ギャラリ）
１１９  枠体
１２０  ネジ
２  変圧器
３  変圧器タンク
３０１，３０２  長辺側の側壁
３０３，３０４  短辺側の側壁
３０５  底壁
３０６  天井壁
４  第１の放熱器
５  第２の放熱器
７  一次側開閉装置
８  二次側保護機器
１０  送風機収容空間
１１  送風機
１２  ガイド部材
１２ａ  底板部
１２ｂ  起立部（ガイドレール部）
１５  送風機の基板
１６  送風ユニット
２１  ファンケース
２１ａ  吐出口
２１ｂ  空気取り入れ口
２２  クロスフローファン
２３  モータ
２６  導風板
３１  位置決め部材
３２  固定具
【図１】
0005686320.tif 000002
【図２】
0005686320.tif 000003
【図３】
0005686320.tif 000004
【図４】
0005686320.tif 000005
【図５】
0005686320.tif 000006
【図６】
0005686320.tif 000007
【図７】
0005686320.tif 000008
【図８】
0005686320.tif 000009
【図９】
0005686320.tif 000010
【図１０】
0005686320.tif 000011
【図１１】
0005686320.tif 000012
【図１２】
0005686320.tif 000013